(57)【特許請求の範囲】
【請求項１】
ウエブ状物体を複数のロールで走行させながら処理する処理装置で、該複数のロールは異なる直径のロールを含み、各ロールの直径が予め定める基本寸法の整数倍となるように設定されている場合に、該ウエブ状物体に存在するロール起因欠陥の判定方法であって、
該ウエブ状物体に欠陥が存在するか否かを、該走行の方向に沿って、該基本寸法の直径を有する円筒の周長に相当する長さに設定される区間毎にそれぞれ１つに集約して判別し、
区間毎にそれぞれ集約される各欠陥判別結果を、該走行の方向に沿って順次的に記憶し、  記憶した各区間についての順次的な欠陥判定結果に基づいて、連続した区間に周期的な欠陥が生じているか否かを判定し、
周期的な欠陥が生じていると判定されるとき、該周期に相当する長さの間隔に含まれる区間数を該基本寸法に乗算した数値の直径を有するロールに、該周期的な欠陥の原因があると判定することを特徴とするロール起因欠陥の判定方法。
【請求項２】
前記区間毎にそれぞれ集約される欠陥判定結果を、欠陥の有無を表す１つの２値データで順次的に記憶して、区間毎の欠陥判定結果を示す２値データが該走行の方向に沿って順に並ぶデータパターンとして記憶し、
前記複数のロールの各ロールに対応して、直径の前記基本寸法に対する倍数分の数よりも１つ多い数の２値データが並ぶ比較パターンであって、そのうち両端の２値データは、欠陥を有することを示す値に定められ、両端以外の残余の２値データは、欠陥が無いことを示す値に定められる比較パターンを設定しておき、
前記周期的な欠陥の判定は、該データパターンと、該比較パターンとを比較し、該データパターンに、該比較パターンが複数回繰返される部分が含まれているか否かで行うことを特徴とする請求項１記載のロール起因欠陥の判定方法。
【請求項３】
ウエブ状物体を複数のロールで走行させながら処理する処理装置で、該複数のロールは異なる直径のロールを含み、各ロールの直径が予め定める基本寸法の整数倍となるように設定されている場合に、該ウエブ状物体に存在するロール起因欠陥を判定するロール起因欠陥の判定装置であって、
走行するウエブ状物体から、欠陥を検出する欠陥検出センサと、
欠陥検出センサの検出結果に基づいて、該ウエブ状物体の走行の方向に沿って、該基本寸法の直径を有する円筒の周長に相当する長さに設定される区間毎にそれぞれ１つに集約して、欠陥が存在しているか否かを判定し、判定結果を欠陥の有無に対応する２値データで出力する区間判定手段と、
区間判定手段によって区間毎にそれぞれ１つに集約される欠陥判定結果を示す２値データを、該走行の方向に沿って順に並ぶデータパターンとして記憶するデータメモリと、
複数のロールの各ロールに対応して予め設定され、各ロールの直径の該基本寸法に対する倍数の数よりも１つ多い数の２値データが並ぶ比較パターンであって、そのうち両端の２値データは、欠陥を有することを示す値に定められ、両端以外の残余の２値データは、欠陥が無いことを示す値に定められる比較パターンを記憶しておくパターンメモリと、
データメモリに記憶されているデータパターンと、パターンメモリに記憶されている比較パターンとを比較し、該データパターンに、該比較パターンが複数回繰返される部分が含まれているときに、該比較パターンに対応するロールに欠陥の原因があると判定するロール判定手段とを含むことを特徴とするロール起因欠陥の判定装置。
【発明の詳細な説明】
【０００１】
【発明の属する技術分野】
本発明は、ウエブ状物体に各種処理を施す処理装置で、ウエブ状物体に対する処理や搬送等に使用される複数のロールに起因する欠陥が発生する場合に、欠陥発生の原因となるロールを判定するためのロール起因欠陥の判定方法および装置に関する。
【０００２】
【従来の技術】
従来から、合成樹脂フィルムや紙等のシート材、金属等の帯材などを含むウエブ状物体は、複数のロールを含む処理装置で、連続的に走行しながら各種処理が施され、種々の製品として生産されている。製品には、品質基準を超えるような欠陥、たとえば疵、汚れ、ゴミ付着、特性不良等が含まれないことが要求される。ウエブ状物体の処理装置の途中に欠陥の原因が存在すると、ウエブ状物体は欠陥を有するようになってしまう。したがって、ウエブ状物体から欠陥が検出されれば、その原因を特定し、特定された原因を迅速に除去することが重要である。
【０００３】
特公平７−８６４７４号公報には、走行するウエブ状物体に存在する欠陥の周期を算出し、ウエブ状物体を搬送するローラや加圧するローラのうちから、欠陥の周期に対応するローラ径を有するローラを欠陥の原因として特定する先行技術が開示されている。この先行技術では、被検査物から得られる検査データを、正常データと欠陥データとに２値化し、欠陥データの相互間の距離を求めた後、これらの距離について頻度計算を行って距離の周期成分を抽出し、この周期成分から欠陥データの基本周期を抽出している。
【０００４】
【発明が解決しようとする課題】
特公平７−８６４７４号公報の先行技術では、検査データを２値化して記憶し、欠陥データの相互間距離を求める必要がある。一般に、欠陥の原因はローラの外周面の一部に生じるので、該ローラに起因する欠陥の周期成分は、複数回転に相当する周長の区間についての検査データから抽出する必要がある。したがって、充分な精度で周期成分を抽出し得るようにするためには、検査データを細かくとって、しかもローラの複数回転分の検査データを記憶しておくことができる記憶容量を有するメモリが必要となる。精度を高くすれば、記憶する検査データの数も多くなり、欠陥データ相互間の距離を求めたり、距離について頻度計算を行うなどの演算処理に要する時間も長くなる。
【０００５】
本発明の目的は、高精度で迅速に、ロールを原因として発生する欠陥を検出して、欠陥の原因となっているロールを特定することができるロール起因欠陥の判定方法および装置を提供することである。
【０００６】
【課題を解決するための手段】
本発明は、ウエブ状物体を複数のロールで走行させながら処理する処理装置で、該複数のロールは異なる直径のロールを含み、各ロールの直径が予め定める基本寸法の整数倍となるように設定されている場合に、該ウエブ状物体に存在するロール起因欠陥の判定方法であって、
該ウエブ状物体に欠陥が存在するか否かを、該走行の方向に沿って、該基本寸法の直径を有する円筒の周長に相当する長さに設定される区間毎にそれぞれ１つに集約して判別し、
区間毎にそれぞれ集約される各欠陥判別結果を、該走行の方向に沿って順次的に記憶し、  記憶した各区間についての順次的な欠陥判定結果に基づいて、連続した区間に周期的な欠陥が生じているか否かを判定し、
周期的な欠陥が生じていると判定されるとき、該周期に相当する長さの間隔に含まれる区間数を該基本寸法に乗算した数値の直径を有するロールに、該周期的な欠陥の原因があると判定することを特徴とするロール起因欠陥の判定方法である。
【０００７】
本発明に従えば、ウエブ状物体に欠陥を発生させうる複数のロールは、径が異なるものを含み、各ロールの径は、たとえば「１インチ」を基本寸法として、その整数倍となるように設定されている。このようなロールの表面に疵などが存在すると、そのロールで処理されるウエブ状物体には、ロールの回転周期に対応する距離毎に疵などの欠陥が発生する。ウエブ状物体に欠陥が存在するか否かは、走行の方向に沿って、基本寸法に対応する周長の区間毎に判定する。次に、区間毎の欠陥判別結果を、該走行の方向に沿って順次的に記憶する。記憶した各区間についての順次的な欠陥判定結果に基づいて、連続した区間に周期的な欠陥が生じているか否かを判定し、基本寸法の整数倍の周期で欠陥が検出されていれば、その周期に対応する径を有するロールが欠陥の原因であると特定することができる。欠陥検出の判定結果は、基本寸法に対応する周長の区間にまとめてから、周期的な欠陥を生じているか否かの判定に用いるので、判定に必要な記憶容量を低減し、演算処理を少なくすることができる。
【０００８】
また本発明で前記区間毎にそれぞれ集約される欠陥判定結果を、欠陥の有無を表す１つの２値データで順次的に記憶して、区間毎の欠陥判定結果を示す２値データが該走行の方向に沿って順に並ぶデータパターンとして記憶し、
前記複数のロールの各ロールに対応して、直径の前記基本寸法に対する倍数分の数よりも１つ多い数の２値データが並ぶ比較パターンであって、そのうち両端の２値データは、欠陥を有することを示す値に定められ、両端以外の残余の２値データは、欠陥が無いことを示す値に定められる比較パターンを設定しておき、
前記周期的な欠陥の判定は、該データパターンと、該比較パターンとを比較し、該データパターンに、該比較パターンが複数回繰返される部分が含まれているか否かで行うことを特徴とする。
【０００９】
本発明に従えば、周期的な欠陥の判定結果は、基本寸法に対応する区間毎の順次的な２値データの集まりであるデータパターンとして記憶される。データパターンは、ロールの径についての基本寸法を単位とする２値データが複数集約されているので、ロールの全周長よりも充分に長い距離分の２値データの集まりをデータパターンとして記憶するとしても、必要なメモリの記憶容量は少なくなる。たとえば、欠陥の検出を０．１ｍｍ単位に行い、区間の長さを１００ｍｍとすると、その１区間毎には、１０００回の検出結果が得られることで、通常１０００ビットのデータが必要である。これに対して、本発明では、区間毎の欠陥判定結果を２値データで表わすことで、１０００ビットのデータではなく、１ビットのデータに集約して記憶することができる。周期的な欠陥の判定は、連続的な欠陥の判定結果を示す２値データの集まりであるデータパターンに、比較パターンが複数回繰返される部分があるか否かで行うので、比較パターンの長さだけ、２値のデータ間で区間毎の比較演算を行えばよく、演算処理を迅速に行うことができる。
【００１０】
さらに本発明は、ウエブ状物体を複数のロールで走行させながら処理する処理装置で、該複数のロールは異なる直径のロールを含み、各ロールの直径が予め定める基本寸法の整数倍となるように設定されている場合に、該ウエブ状物体に存在するロール起因欠陥を判定するロール起因欠陥の判定装置であって、
走行するウエブ状物体から、欠陥を検出する欠陥検出センサと、
欠陥検出センサの検出結果に基づいて、該ウエブ状物体の走行の方向に沿って、該基本寸法の直径を有する円筒の周長に相当する長さに設定される区間毎にそれぞれ１つに集約して、欠陥が存在しているか否かを判定し、判定結果を欠陥の有無に対応する２値データで出力する区間判定手段と、
区間判定手段によって区間毎にそれぞれ１つに集約される欠陥判定結果を示す２値データを、該走行の方向に沿って順に並ぶデータパターンとして記憶するデータメモリと、
複数のロールの各ロールに対応して予め設定され、各ロールの直径の該基本寸法に対する倍数の数よりも１つ多い数の２値データが並ぶ比較パターンであって、そのうち両端の２値データは、欠陥を有することを示す値に定められ、両端以外の残余の２値データは、欠陥が無いことを示す値に定められる比較パターンを記憶しておくパターンメモリと、
データメモリに記憶されているデータパターンと、パターンメモリに記憶されている比較パターンとを比較し、該データパターンに、該比較パターンが複数回繰返される部分が含まれているときに、該比較パターンに対応するロールに欠陥の原因があると判定するロール判定手段とを含むことを特徴とするロール起因欠陥の判定装置である。
【００１１】
本発明に従えば、ウエブ状物体に欠陥を発生させうる複数のロールのうち、どのロールが欠陥の原因となっているかを特定するためにロール起因欠陥の判定装置を用いることができる。ロール起因欠陥の判定装置は、欠陥検出センサと、区間判定手段と、データメモリと、パターンメモリと、ロール判定手段とを含む。欠陥検出手段は、走行するウエブ状物体から欠陥を検出する。区間検出手段は、欠陥検出センサの検出結果に基づいて、該ウエブ状物体の走行の方向に沿って、基本寸法の直径を有する円筒の周長に相当する長さに設定されるの区間毎に、欠陥が存在しているか否かを判定し、判定結果を欠陥の有無に対応する２値データで出力する。データメモリは、区間判定手段の判定結果を示す２値データを、該走行の方向に沿って連続した複数の２値データの集まりであるデータパターンとして記憶する。パターンメモリには、複数のロールの各ロールに対応して予め設定され、各ロールの直径の基本寸法に対する倍数の数よりも１つ多い２値データが並ぶ比較パターンを記憶しておく。ロール判定手段は、データメモリに記憶されている連続したデータパターンと、パターンメモリに記憶されている比較パターンとを比較し、データパターンに比較パターンが複数回繰返される部分が含まれているときに、比較パターンに対応するロールに欠陥の原因があると判定する。欠陥検出の判定結果は、基本寸法に対応する周長の区間にまとめてから、周期的な欠陥を生じているか否かの判定に用いるので、判定に必要なデータメモリの記憶容量を低減し、ロール判定手段での演算処理を少なくすることができる。
【００１２】
【発明の実施の形態】
図１は、本発明の実施の一形態としてのロール起因の欠陥判定方法の基本的な考え方を簡略化して示す。図１（ａ）に示すように、ウエブ状物体１は、走行方向２に走行しながら、ロール３による作用を受ける。一般には、ロール３は径が異なるものを含む複数が使用される。複数のロールは、各ロールの直径が予め定める基本寸法、たとえば「インチ」刻みで製作されており、その整数倍となるように設定されている場合が多い。ロール３のロール径が「６インチ」であるとすると、ロール３の直径は、１インチ当り２５．４ｍｍとして換算し、
６×２５．４＝１５２．４ｍｍ
となる。
【００１３】
ウエブ状物体１に、疵、汚れ、特性不良等の欠陥４が存在するときは、その原因がロール３に付着しているゴミ５などである場合が多い。ロール３の外周に、１つのゴミ５が付着していると、ゴミ５が付着している部分がウエブ状物体１に接触するタイミングで欠陥４が生じる。したがって、欠陥４は、ウエブ状物体１の走行方向２に沿って、一定の間隔をおいて、周期的に発生する。
【００１４】
図１（ｂ）は、ウエブ状物体１の走行方向２に垂直な幅方向について、欠陥４の分布を示す。欠陥４は、ウエブ状物体１の幅方向については同一の位置で検出される。ロール径が異なる複数のロールが欠陥４の原因となりうる場合は、走行方向２に沿っての欠陥４の周期を求めれば、対応する周長を有するロールに原因があると推定することができる。ただし、複数の欠陥４の位置を記憶し、欠陥４の周期を算出するためには、欠陥４を含まない位置についての情報も記憶する必要があるので、特に精度を高める場合は、大量の情報を記憶し、多量の演算処理を行う必要がある。
【００１５】
図１（ｃ）は、ウエブ状物体１に欠陥が存在するか否かを判定するために、走行方向２に沿って求められるデータパターン６を示す。データパターン６は、基本寸法に対応する周長の区間７毎に欠陥判定結果を集約して形成する。各区間７についての順次的な判定結果は、「１」で欠陥４が存在することを表し、「０」で欠陥４が存在しないことを表す２値データの列となる。区間７の長さは、基本寸法が「１インチ」のとき、ウエブ状物体１に伸び縮みがなければ、基本寸法に対応する周長として、
２５．４×３．１４＝７９．７５６ｍｍ
となる。
【００１６】
図１（ｄ）は、走行方向２に沿って、周期的な欠陥が生じているか否かを判定するための比較パターン８を示す。図１（ａ）に示すロール３が「６インチ」ロールであれば、ロール３に起因する欠陥４は、６つの区間９おきに発生する。全部で７つの区間９分の比較パターン８を、両端の区間９で「１」、中間の区間９で「０」となるように設定しておく。他のロール径のロールについても、同様に、ロール径に対応する区間９より１つの区間９だけ多い比較パターンを設定することができる。図１（ｃ）のデータパターン６中に、周期的な欠陥が生じているか否かは、データパターン６中に比較パターン８の両端と一致するパターンが複数回繰返される部分が存在するか否かで判定することができる。周期的な欠陥４が生じていると判定されるときは、判定に用いている比較パターン８に対応するロール３に欠陥４の原因があると特定することができる。
【００１７】
すなわち、周期的な欠陥４の判定結果は、基本寸法に対応する区間７毎の順次的な２値データの集まりであるデータパターン６として記憶される。２値データは、ロール３の径についての基本寸法を単位とする区間７毎に集約されているので、ロール３の全周長よりも充分に長い距離分のデータパターン６を記憶するとしても、必要なメモリの記憶容量は少なくなる。たとえば、欠陥４の検出を１００μｍ単位に行い、区間７の長さを前述のように７９．８ｍｍとすると、その１区間毎に、７９８回の検出結果を７９８ビットのデータではなく、１ビットのデータに集約して記憶することができる。周期的な欠陥の判定は、連続的な欠陥の判定結果を示す２値データの集まりであるデータパターン６に、比較パターン８が複数回繰返される部分があるか否かで行うので、比較パターン８の長さだけ、２値のデータ間で区間７，９毎の比較演算を行えばよく、演算処理を迅速に行うことができる。
【００１８】
図２は、本発明の実施の一形態をしてのロール起因欠陥の判定方法を、フィルム１０の生産ラインに適用する例を示す。フィルム１０は、フィルムａ１１の両側に、フィルムｂ１２およびフィルムｃ１３を貼合せて製造される。フィルムａ１１は、加工工程１４で加工処理され、ＮＩＰロール１７ａで後工程に移送される。フィルムｂ１２およびフィルムｃ１３は、ＮＩＰロール１７ｂ，１７ｃで送られ、糊剤を用いて、貼合ロール１９で相互に貼合される。貼合されたフィルム１０は、検査装置２１での検査を経て、保護フィルム２２を表面に重ねて、製品巻取装置２３で巻取られる。
【００１９】
図２に示すフィルム１０の生産ラインでは、複数のロールが使用される。複数のロールは、ロール径が「インチ」刻みとなるように製造されている。貼合ロール１９〜検査装置２１間には、ロール径が「４インチ」で、
２５．４×４＝１０１．６ｍｍ
の直径から１００Ａと称するガイドロール２４，２５，２６が配置されている。ロール径が「８インチ」で、
２５．４×８＝２０３．２ｍｍ
の直径から２００Ａと称するロールは、フィルムａ１１用のＮＩＰロール１７ａと、全体用の貼合ロール１９として配置されている。フィルムｂ１２およびフイルムｃ１３用のＮＩＰロール１７ｂ，１７ｃは、ロール径が「１０インチ」で、
２５．４×１０＝２５４ｍｍ
の直径から２５０Ａと称される。
【００２０】
図２に示すように、複数のロール径のロールが検査装置２１の検査対象であるフィルム１０の欠陥に関連している場合、欠陥の周期から、その周期に対応する区間数を該基本寸法に乗算した数値の直径を有するロールに、周期的な欠陥の原因があると判定することができる。
【００２１】
すなわち、ウエブ状物体としてのフィルム１０に欠陥を発生させうる複数のロールは、径が１００Ａ，２００Ａ，２５０Ａと異なるものを含み、各ロールの径は、たとえば「１インチ」を基本寸法として、その整数倍となるように設定されている。このようなロールの表面に疵などが存在すると、そのロールで処理されるフィルム１０には、ロールの回転周期に対応する距離毎に疵などの欠陥が発生する。
【００２２】
実際に発生した欠陥としては、たとえばＮＩＰロール１７ａに起因して、６２８ｍｍの周期でフィルムａ１１に発生した凹みを挙げることができる。また、ＮＩＰロール１７ｂ，１７ｃに起因して、周期７９７ｍｍの打コンも発生している。貼合ロール１９に起因する周期６３８ｍｍの打コンも発生している。貼合ロール１９で糊供給装置が故障したときは、連続的な糊切れの欠陥が発生している。貼合ロール１９〜検査装置２１間のガイドロール２４，２５，２６に起因する打コンは、周期３１９ｍｍで発生している。
【００２３】
図３は、図２の検査装置２１の概要を示す。製品巻取り装置２３に巻取られるフィルム１０の長さは、走行長さ計測装置２９によって計測される。フィルム１０の表面の一方側、たとえば下方には、フィルム１０の幅方向に延びる形状の照明装置３０が配置される。照明装置３０に対してフィルム１０の表面の他方側、たとえば上方には、欠陥検出センサである複数の撮像手段３１，３２，…が配置される。複数の撮像手段３１，３２，…は、フィルム１０の表面を、幅方向について複数の区間に区分し、各区間をそれぞれ走行方向２に沿って連続的に撮像する。複数の撮像手段３１，３２，…が撮像する画像データは、画像処理装置４０に入力され、欠陥の検出と、欠陥が検出される場合の原因特定とが行われる。
【００２４】
画像処理装置４０には、区間判定手段４１と、データメモリ４２と、パターンメモリ４３と、ロール判定手段４４とが含まれる。区間検出手段４１は、欠陥検出センサである撮像手段３１，３２，…の検出結果に基づいて、走行長さ計測装置２９によって計測されるフィルム１０の長さが基本寸法に対応する周長となる区間毎に、欠陥が存在しているか否かを判定し、判定結果を欠陥の有無に対応する２値で出力する。データメモリ４２は、区間判定手段４１の判定結果を、連続した２値データの集まりであるデータパターンとして記憶する。パターンメモリ４３には、複数のロールの各ロールに対応して予め設定され、各ロールの直径の基本寸法に対する倍数分の数よりも１多い数のビット数を有する比較パターンを記憶しておく。ロール判定手段４４は、データメモリ４２に記憶されているデータパターンと、パターンメモリ４３に記憶されている比較パターンとを比較し、データパターンに比較パターンが複数回繰返される部分が含まれているときに、比較パターンに対応するロールに欠陥の原因があると判定する。欠陥検出の判定結果は、基本寸法に対応する周長の区間にまとめてから、周期的な欠陥を生じているか否かの判定に用いるので、判定に必要なデータメモリ４２の記憶容量を低減し、ロール判定手段４４での演算処理を少なくすることができる。
【００２５】
図４は、本実施形態で、区間判定手段４１が欠陥の有無を判定出して、データメモリ４２に記憶する手順を示す。ステップａ０から手順を開始し、ステップａ１では、データ値を０に設定する。ステップａ２では、撮像手段３１，３２，…で画像を読取る。ステップａ３では、読取られた画像データから欠陥が検出されているか否かを判定する。欠陥検出と判定されるときは、データ値を１に設定する。ステップａ４の後、またはステップａ３で欠陥が検出されないと判定された後、ステップａ５で区間が終了したか否かを判断する。区間が終了していないと判断されるときは、ステップａ２に戻る。ステップａ５で区間が終了していると判断されるときは、データ値をデータメモリ４２に記憶し、ステップａ１に戻る。すなわち、各区間内に欠陥が検出されなければ、データ値「０」が記憶され、欠陥が検出されれば、データ値「１」が記憶される。
【００２６】
図５は、本実施形態で、ロール判定手段４４が周期的な欠陥を検出して、欠陥の原因となるロールを特定する手順を示す。ステップｂ０から手順を開始し、ステップｂ１では、関連するロールに対応して比較パターンを設定する。ステップｂ２では、パラメータｎをｎ＝０に設定する。ステップｂ３では、比較パターンと、図４に従って生成されるデータパターンとを比較する。ステップｂ４で一致していると判定されれば、ステップｂ５で、パラメータｎの値を１だけ増加させる。ステップｂ６では、ｎの値が一定の値、たとえば３になっているか否かを判断する。ｎが１または２であるときには、ステップｂ７で比較パターンとデータパターンとを比較する位置を、比較パターンの全区間数から１少ない区間数だけ移動させ、ステップｂ４に戻る。比較パターンとデータパターンとを比較する位置をずらしながら、連続した３周期でパターンが一致すると、ステップｂ６からステップｂ８に移り、その比較パターンに対応するロールが欠陥の原因であると特定し、ステップｂ９で手順を終了する。なお、複数回、たとえば３回連続してパターンが一致することを周期的欠陥判定の条件にするのは、ノイズなどによる偶発的な欠陥検出を避けるためである。ロールに欠陥の原因が生じていれば、何回でも繰返して欠陥が発生するので、たとえば３回で判断すれば充分である。
【００２７】
図４に示す区間判定手段４１の動作と、図５に示すロール判定手段４４の動作とは、並行して行われる。データメモリ４２には、最大のロール径のロールの周長に対し、たとえば３回分を超えるデータパターンを記憶することができればよい。その長さ分のデータを１００μｍ毎に記憶すると、極めて大容量のデータメモリ４２を必要とする。本発明では、データメモリ４２として必要な容量を、たとえば７９８分の１に低減することができる。フィルム１０は、連続して生産されるので、全長分のデータパターンをデータメモリ４２に記憶することはできないこともある。検査装置２１での検査対象となっている部分の近傍を、連続して記憶しておくことができれば、周期的欠陥を充分に検出することができる。
【００２８】
図６は、欠陥検出センサとしての撮像手段３１，３２，…の検出結果に基づいて、欠陥の原因となるロールを判定するロール起因欠陥の判定装置を含む欠陥検査装置５０の全体的な構成を示す。欠陥検査装置５０には、検査情報表示部５１や検査装置操作部５２が含まれる。欠陥は、複数の撮像手段３１，３２，…が受持つフィルム１０の幅方向の区間毎に検出され、各区間で、走行方向２については、前述のように、基本寸法に基づく区間毎にデータパターンが得られる。欠陥が検出されるときには、パトライト５３を点灯させることなどによって、周囲に報知する。検査装置情報表示部５１には、検査結果がリアルタイムで表示される。欠陥の検出結果も含めて、検査結果は記録として残される。
【００２９】
図７は、図６の検査情報表示部５１にリアルタイムで表示される検査結果６０の概要を示す。検査結果の横方向は、フィルム１０の幅方向について、図７（ａ）に示すような縮小表示６１と、図７（ｂ）に示すような拡大表示６２とを切換えて表示することができる。検査結果６０の縦方向は、フィルム１０の走行方向であり、基本寸法の区間をブロック６３として表示する。１つのブロック６３の横幅は、縮小表示６１ではたとえば１６０ｍｍに相当し、拡大表示６２ではたとえば２０ｍｍに相当する。検査結果６０の側方では、周期欠陥表示６４も行われる。周期欠陥表示は、１Ｂ，２Ｂ，３Ｂの３箇所で行うことができ、たとえば１００Ａに相当する４ブロックを１Ｂ、２００Ａに相当する８ブロックを２Ｂ、２５０Ａに相当する１０ブロックを３Ｂとして、周期的な欠陥が発生したことを表示させる。
【００３０】
以上説明した本実施形態では、例えば１００μｍ毎に検出する欠陥を基本寸法に対応する区間毎に集約するようにしているけれども、この区間全体の画像から全体的に欠陥があるか否かを判定することもできる。また、光学的に欠陥を検出するようにしているけれども、音響的や電磁的な方法など、他の方法で欠陥を検出することもできる。基本寸法に「インチ」を用いているけれども、他の寸法であっても本発明を同様に適用することができることはもちろんである。
【００３１】
【発明の効果】
以上のように本発明によれば、ウエブ状物体に欠陥を発生させうる複数のロールは、径が異なるものを含み、各ロールの径は、基本寸法の整数倍となるように設定されている。このようなロールの表面に疵などが存在すると、そのロールで処理されるウエブ状物体には、ロールの回転周期に対応する距離毎に疵などの欠陥が発生するので、連続した区間に周期的な欠陥が生じているか否かを判定し、基本寸法の整数倍の周期で欠陥が検出されていれば、その周期に対応する径を有するロールが欠陥の原因であると特定することができる。欠陥検出の判定結果は、基本寸法に対応する周長の区間にまとめてから、周期的な欠陥を生じているか否かの判定に用いるので、判定に必要な記憶容量を低減し、演算処理を少なくすることができる。
【００３２】
また本発明によれば、周期的な欠陥の判定結果は、基本寸法に対応する区間毎の順次的な２値データの集まりであるデータパターンで記憶され、周期的な欠陥の判定は、連続的な欠陥の判定結果を示すデータデータパタンに、比較パターンが複数回繰返される部分があるか否かで行うので、比較パターンの長さだけ、２値データ間で区間毎の比較演算を行えばよく、演算処理を迅速に行うことができる。
【００３３】
さらに本発明によれば、ウエブ状物体に欠陥を発生させうる複数のロールのうち、どのロールが欠陥の原因となっているかを特定することができる。ウエブ状物体の走行の方向に沿って、基本寸法の直径を有する円筒の周長に相当する長さに設定される区間毎に、欠陥が存在しているか否かを判定し、区間毎の判定結果を連続した２値データの集まりであるデータパターンとして記憶する。データパターンと、ロールの径に対応する比較パターンとを比較し、データパターンに比較パターンが複数回繰返される部分が含まれているときに、比較パターンに対応するロールに欠陥の原因があると判定するので、演算処理を少なくし、迅速化することができる。欠陥検出の判定結果は、基本寸法に対応する周長の区間にまとめてから、周期的な欠陥を生じているか否かの判定に用いるので、判定に必要なデータメモリの記憶容量を低減することができる。
【図面の簡単な説明】
【図１】本発明の実施の一形態としてのロール起因の欠陥判定方法の基本的な考え方を簡略化して示す図である。
【図２】本発明の実施の一形態をしてのロール起因欠陥の判定方法を、フィルムの生産ラインに適用する例を示す簡略化した側面図である。
【図３】図２の検査装置２１の概要を示すブロック図である。
【図４】図３の区間判定手段４１の判定手順を示すフローチャートである。
【図５】図３のロール判定手段４４の判定手順を示すフローチャートである。
【図６】図２の検査装置２１を含む欠陥検査装置５０の概略的な構成を示すブロック図である。
【図７】図６の検査情報表示部５１の表示情報を示す図である。
【符号の説明】
１  ウエブ状物体
２  走行方向
３  ロール
４  欠陥
５  ゴミ
６  データパターン
７，９  区間
８  比較パターン
１０  フィルム
１７ａ，１７ｂ，１７ｃ  ＮＩＰロール
１９  貼合ロール
２４，２５，２６  ガイドロール
３１，３２，…  撮像手段
４０  画像処理装置
４１  区間判定手段
４２  データメモリ
４３  パターンメモリ
４４  ロール判定手段
５０  欠陥検査装置
５１  検査情報表示部
６０  検査結果
６３  ブロック
６４  周期欠陥表示
【図１】
0003881506.tif 000002
【図２】
0003881506.tif 000003
【図３】
0003881506.tif 000004
【図４】
0003881506.tif 000005
【図５】
0003881506.tif 000006
【図６】
0003881506.tif 000007
【図７】
0003881506.tif 000008